(57)【要約】【課題】パネルを支持する複数の支持部材を簡単に且つ精度良く配置する。【解決手段】建物において床１であって、床１を構成する床パネル１０と、床パネル１０を支持するために間隔を開けながら横並びの状態で複数配置された大引２０と、複数の大引２０が並ぶ方向に沿って延出して各大引２０と交差した状態で各大引２０に組み付けられている補強部材３０と、を有し、補強部材３０が各大引２０に組み付けられることで、複数の大引２０が並ぶ方向における大引２０間の間隔が予め設定された距離に揃えられている。【選択図】図５
2019011582.tif 000002
【特許請求の範囲】
【請求項１】
建物において室内空間の境界位置に設けられた構造物であって、
該構造物の室内側に位置するパネルと、
該パネルを支持し、間隔を開けながら横並びの状態で複数配置された支持部材と、
複数の前記支持部材が並ぶ方向に沿って延出して複数の前記支持部材の各々と交差した状態で複数の前記支持部材の各々に組み付けられている組み付け部材と、を有し、
該組み付け部材が複数の前記支持部材の各々に組み付けられることで、複数の前記支持部材が並ぶ方向における前記支持部材間の間隔が予め設定された距離に揃えられていることを特徴とする構造物。
【請求項２】
複数の前記支持部材の各々は、溝状の凹部を有し、
前記組み付け部材には、前記凹部と嵌合する嵌合部が、複数の前記支持部材が並ぶ方向に沿って間隔を開けながら複数設けられており、
それぞれの前記嵌合部が、複数の前記支持部材の各々が有する前記凹部と嵌合することで前記組み付け部材が複数の前記支持部材の各々に組み付けられていることを特徴とする請求項１に記載の構造物。
【請求項３】
複数の前記支持部材の各々は、複数の前記支持部材が並ぶ方向と交差する方向に延出しており、
前記組み付け部材は、複数の前記支持部材の各々の延出方向に沿って間隔を開けながら横並びの状態で複数配置されていることを特徴とする請求項１又は２に記載の構造物。
【請求項４】
前記構造物の室内側に位置する表面は、複数の前記支持部材が並ぶ方向及び複数の前記支持部材が並ぶ方向と交差する方向の各方向において複数配置された前記パネルによって構成されており、
複数の前記パネルの各々は、外縁部分を有し、
複数の前記パネルの各々において、複数の前記支持部材が並ぶ方向と交差する方向に沿って延びている前記外縁部分は、当該外縁部分と対向する位置に配置された前記支持部材によって支持されており、複数の前記支持部材が並ぶ方向に沿って延びている前記外縁部分は、当該外縁部分と対向する位置に配置された前記組み付け部材によって支持されていることを特徴とする請求項３に記載の構造物。
【請求項５】
前記支持部材は、鉛直方向において前記パネルを支持し、
鉛直方向において前記パネルが配置される位置とは反対側の位置で前記支持部材に取り付けられた状態で前記支持部材を支持する支柱がさらに設けられており、
前記支柱には、前記支持部材に対する前記支柱の取り付け位置を鉛直方向において変更する際に操作される被操作部が備えられていることを特徴とする請求項１乃至４のいずれか一項に記載の構造物。
【請求項６】
前記パネルが前記支持部材によって支持された状態において、前記パネルと隣り合う位置には開口部が設けられており、
前記被操作部は、前記開口部に臨んでおり、前記室内空間から前記開口部を通じて操作可能であることを特徴とする請求項５に記載の構造物。
【請求項７】
前記パネルは、前記建物において床の上面を構成する床パネルであり、
前記支持部材は、前記床パネルを下方から支持する大引であることを特徴とする請求項１乃至６のいずれか一項に記載の構造物。
【発明の詳細な説明】
【技術分野】
【０００１】
本発明は、建物において室内空間の境界位置に設けられた構造物に係り、特に、複数の支持部材によって支持されるパネルを構成要素とする構造物に関する。
【背景技術】
【０００２】
床、壁及び天井等、建物において室内空間の境界位置に設けられた構造物は、通常、当該構造物の室内側の表面を形成するパネルを複数の支持部材によって支持し、当該パネルを所定方向に複数並べて配置することで構成されている。一例を挙げて説明すると、特許文献１の床下構造では、支持部材である大引ビームが床スラブ上に横並び状態で複数配置されている。そして、特許文献１では、複数の大引ビームの上に床パネル（具体的には床板）を敷き詰めることで床が構成されている。
【先行技術文献】
【特許文献】
【０００３】
【特許文献１】特開２０１４−１８５５１８号公報
【発明の概要】
【発明が解決しようとする課題】
【０００４】
特許文献１の床下構造のように、パネルを支持する支持部材（特許文献１の大引ビームに相当する部材）が一定間隔にて複数並べられている構成では、支持部材間の間隔が予め設定された距離になるように各支持部材を配置する必要がある。
【０００５】
一方、上述した構成の構造物を構築する従来の工法では、複数の支持部材を配置したときの各支持部材の位置決め精度が作業者の技量に応じて変わってしまうことがある。したがって、構造物については、当該構造物の構築時に複数の支持部材を簡単に且つ精度よく配置し得る構成が求められている。
【０００６】
そこで、本発明は、上記の課題に鑑みてなされたものであり、その目的とするところは、パネルを支持する複数の支持部材を簡単に且つ精度良く配置し得る構成の構造物を提供することである。
【課題を解決するための手段】
【０００７】
前記課題は、本発明の構造物によれば、建物において室内空間の境界位置に設けられた構造物であって、該構造物の室内側に位置するパネルと、該パネルを支持し、間隔を開けながら横並びの状態で複数配置された支持部材と、複数の前記支持部材が並ぶ方向に沿って延出して複数の前記支持部材の各々と交差した状態で複数の前記支持部材の各々に組み付けられている組み付け部材と、を有し、該組み付け部材が複数の前記支持部材の各々に組み付けられることで、複数の前記支持部材が並ぶ方向における前記支持部材間の間隔が予め設定された距離に揃えられていることにより解決される。
【０００８】
上述のように構成された本発明の構造物では、パネルを支持する複数の支持部材が並ぶ方向に延出している組み付け部材が、各支持部材に組み付けられている。このように組み付け部材が各支持部材に組み付けられていることで、支持部材間の間隔が予め設定された距離に揃えられる。以上の構成であれば、上記の組み付け部材を用いることで、支持部材間の間隔が予め設定された距離となるように各支持部材を位置決めすることが容易になる。すなわち、複数の支持部材を横並び状態で配置する際に各支持部材を簡単に且つ精度よく配置することが可能となる。
【０００９】
また、上記の構成において、複数の前記支持部材の各々は、溝状の凹部を有し、前記組み付け部材には、前記凹部と嵌合する嵌合部が、複数の前記支持部材が並ぶ方向に沿って間隔を開けながら複数設けられており、それぞれの前記嵌合部が、複数の前記支持部材の各々が有する前記凹部と嵌合することで前記組み付け部材が複数の前記支持部材の各々に組み付けられていると、好適である。
上記の構成では、組み付け部材に設けられた嵌合部が各支持部材の凹部に嵌合することで、組み付け部材が各支持部材に組み付けられている。このような構成であれば、組み付け部材をより容易に各支持部材に組み付けることが可能となる。
【００１０】
また、上記の構成において、複数の前記支持部材の各々は、複数の前記支持部材が並ぶ方向と交差する方向に延出しており、前記組み付け部材は、複数の前記支持部材の各々の延出方向に沿って間隔を開けながら横並びの状態で複数配置されていると、より好適である。
上記の構成では、組み付け部材が、複数の支持部材の各々の延出方向に沿って間隔を開けながら横並びの状態で複数配置されている。すなわち、上記の構成では、各支持部材に対して複数の組み付け部材が組み付けられている。このような構成であれば、より確実に、支持部材間の間隔が予め設定された距離となるように各支持部材を配置することが可能となる。
【００１１】
また、上記の構成において、前記構造物の室内側に位置する表面は、複数の前記支持部材が並ぶ方向及び複数の前記支持部材が並ぶ方向と交差する方向の各方向において複数配置された前記パネルによって構成されており、複数の前記パネルの各々は、外縁部分を有し、複数の前記パネルの各々において、複数の前記支持部材が並ぶ方向と交差する方向に沿って延びている前記外縁部分は、当該外縁部分と対向する位置に配置された前記支持部材によって支持されており、複数の前記支持部材が並ぶ方向に沿って延びている前記外縁部分は、当該外縁部分と対向する位置に配置された前記組み付け部材によって支持されていると、更に好適である。
上記の構成では、格子状に配置された複数の支持部材及び複数の組み付け部材によって複数のパネルが支持されている。より具体的に説明すると、各パネルの外縁部分が、当該外縁部分と対向する支持部材や組み付け部材によって支持されている。これにより、各パネルの支持状態をより安定させることが可能となる。
【００１２】
また、上記の構成において、前記支持部材は、鉛直方向において前記パネルを支持し、鉛直方向において前記パネルが配置される位置とは反対側の位置で前記支持部材に取り付けられた状態で前記支持部材を支持する支柱がさらに設けられており、前記支柱には、前記支持部材に対する前記支柱の取り付け位置を鉛直方向において変更する際に操作される被操作部が備えられていると、より一層好適である。
上記の構成では、支持部材を支持する支柱が設けられており、支柱には、支持部材に対する支柱の取り付け位置を鉛直方向において変更する際に操作される被操作部が備えられている。このような構成であれば、被操作部を操作することで、支持部材に対する支柱の取り付け位置を変更することが可能となり、換言すると、鉛直方向における支持部材の位置を調整することが可能となる。
【００１３】
また、上記の構成において、前記パネルが前記支持部材によって支持された状態において、前記パネルと隣り合う位置には開口部が設けられており、前記被操作部は、前記開口部に臨んでおり、前記室内空間から前記開口部を通じて操作可能であると、尚一層好適である。
上記の構成では、パネルが支持部材によって支持された状態において、パネルと隣り合う位置に設けられた開口部を通じて被操作部を操作することが可能である。このため、支持部材によって支持される位置にパネルを配置した後に、鉛直方向における支持部材の位置を調整することが可能となる。この結果、構造物の構築作業をより効率よく進めることが可能となる。
【００１４】
また、上記の構成において、前記パネルは、前記建物において床の上面を構成する床パネルであり、前記支持部材は、前記床パネルを下方から支持する大引であってもよい。
上記の構成によれば、床パネルを複数の大引によって支持する構成において、大引間の間隔が予め設定された距離となるように各大引を簡単に且つ精度よく配置することが可能となる。
【発明の効果】
【００１５】
本発明の構造物では、当該構造物の室内側の表面をなすパネルを支持する複数の支持部材が横並び状態で配置されている。そして、複数の支持部材が並ぶ方向に沿って延出した組み付け部材が、各支持部材と交差した状態で各支持部材に組み付けられている。このような構成によれば、支持部材間の間隔が予め設定された距離となるように各支持部材を簡単に且つ精度よく配置することが可能になる。
【図面の簡単な説明】
【００１６】
【図１】本発明の一実施形態に係る構造物の平面図であり、パネルが設置された状態の図である。
【図２】本発明の一実施形態に係る構造物の平面図であり、パネルが設置される前の状態の図である。
【図３】支持部材及び支柱を示す斜視図である。
【図４】組み付け部材の斜視図である。
【図５】本発明の一実施形態に係る構造物の立面図である。
【図６】支柱の構造を示す図であり、図２中のＸ−Ｘ断面を示す図である。
【図７】床パネルと支柱の被操作部との位置関係を示す図である。
【図８】床パネルの配置パターンのバリエーションを示す図である。
【図９】組み付け部材を支持部材に組み付けている様子を示す図である。
【図１０】変形例に係る支持部材を示す図である。
【図１１】変形例に係る組み付け部材を示す図である。
【発明を実施するための形態】
【００１７】
以下、本発明の一実施形態（本実施形態）に係る構造物の構成例について説明する。なお、以下に説明する実施例は、本発明の理解を容易にするためのものであり、本発明を限定するものではない。すなわち、本発明は、その趣旨を逸脱することなく、変更、改良され得る。また、当然ながら、本発明にはその等価物が含まれ得る。また、以下に説明する各部材のサイズ、材質及び形状については、あくまでも一例に過ぎず、本発明の機能を発揮する限り、自由に設計することが可能である。
【００１８】
また、以下では、水平方向で合って互いに直交する２つの方向をＸ方向及びＹ方向と呼ぶこととする。より具体的に説明すると、Ｘ方向は、後述する複数の大引２０の各々の延出方向に該当し、Ｙ方向は、複数の大引２０が並ぶ方向に該当する。ちなみに、上記２つの方向（Ｘ方向及びＹ方向）の各々は、後に参照する図面において矢印にて図示されている。
【００１９】
＜＜本実施形態に係る構造物の構成＞＞
本実施形態に係る構造物は、建物において室内空間の境界位置に設けられた構造物である。「建物」は、屋外から隔てられた室内空間を有する建築物であり、具体的には住宅家屋、店舗、設備や機器を収容する建屋等が該当する。「室内空間の境界位置」は、室内空間の端位置であり、室内空間を区画するために設定された境界位置である。「室内空間の境界位置に設けられた構造物」は、床、天井及び壁（内壁や外壁）が該当する。
【００２０】
以下では、床１を構造物の一例として挙げ、その構成例について説明することとする。なお、以下に説明する床１は、建物の１階の床である。ただし、以下に説明する床１の構成は、建物の１階の床にのみ適用し得るものではなく、複数階建ての建物において２階以上の階に設置された床にも適用可能である。
【００２１】
床１の基本構成について図１〜図８を参照しながら説明する。図１及び図２は、床１の平面図であり、図１が後述する床パネル１０を配置した状態の図（すなわち、完成後の床１を示す図）であり、図２が床パネル１０を配置する前の状態の図（すなわち、未完状態の床１を示す図）である。また、図２では、大引２０及び束４０に対する床パネル１０の位置関係を説明する目的から、一つの床パネル１０の配置位置を破線にて図示している。
【００２２】
図３は、大引２０及び束４０の斜視図である。図４は、補強部材３０の斜視図である。図５は、床１の立面図である。なお、図５中の補強部材３０及び束４０については、図示の都合上、実際の数より少ない個数にて図示している。図６は、束４０の構造を示す断面図である。図７は、床パネル１０と束４０の被操作部４１ａとの位置関係を示す図である。図８は、床パネル１０の配置パターンのバリエーションを示す図である。
【００２３】
床１は、図１乃至図５に示すように、床パネル１０、大引２０、補強部材３０及び束４０を備えている。床パネル１０は、床１の上面（室内側に位置する表面）を構成するパネルであり、図１に示すように平面視で略矩形状の木質ボードである。すなわち、床パネル１０は、同図に示すようにＸ方向及びＹ方向の両方向に敷き詰められることで床１の上面を構成している。すなわち、床１の上面は、Ｘ方向及びＹ方向の各方向において複数配置された床パネル１０によって構成されている。
【００２４】
なお、以下では、図７に示すようにＸ方向及びＹ方向の両方向において隣り合う床パネル１０同士を隣接させて床１を構築するケースを、例に挙げて説明することとする。ただし、これに限定されるものではなく、図８に示すように、隣り合う床パネル１０同士の間に一定幅の隙間Ｇが形成されてもよい。
【００２５】
また、各床パネル１０は、図１に示すように、Ｘ方向の両端部及びＹ方向の両端部に外縁部分１０ａを備えている。各床パネル１０において、Ｘ方向両端部に設けられた外縁部分１０ａと、Ｙ方向両端部に設けられた外縁部分１０ａと、が略四角枠状に連続している。
【００２６】
また、本実施形態の床パネル１０は、４つの角部が切り落とされた（面取りされた）形状をなしている。このため、複数の床パネル１０を敷き詰めた状態では、互いに近接する４つの床パネル１０の各々の隅部が集まる箇所（換言すると、４つの床パネル１０の各々と隣り合う位置）に、図１に示すように略正方形状の開口部１１が形成されている。
【００２７】
大引２０は、支持部材に相当し、本実施形態では鉛直方向において床パネル１０を支持し、厳密には下方から支持している。本実施形態の大引２０は、長尺な木質角材からなり、図２に示すようにＹ方向において間隔を開けながら横並びの状態で複数配置されている。かかる意味で、Ｙ方向は、複数の大引２０が並ぶ方向に相当する。また、各大引２０は、その長手方向がＸ方向に沿った状態で配置されている。換言すると、複数の大引２０の各々は、Ｘ方向（つまり、Ｙ方向と交差する方向）に延出していることになる。
【００２８】
ここで、大引２０の配置位置について説明すると、各大引２０は、Ｙ方向において大引２０間の間隔（図２中、記号ｄにて示す間隔）が予め設定された距離となるように配置されている。大引２０間の間隔は、すべて均一になっていてもよく、あるいは、場所に応じて異なっていてもよい。
【００２９】
また、各大引２０の上端部には、図３に示すように、矩形溝状の大引側凹部２１が形成されている。この大引側凹部２１は、凹部に相当し、Ｘ方向において一定間隔毎に設けられている。さらに、各大引２０において大引側凹部２１の下方位置で大引側凹部２１と隣接する部分（以下、隣接底部２２）には、円穴状の貫通孔２４が形成されている。さらにまた、各大引２０中、Ｘ方向において大引側凹部２１と隣り合う部分（以下、隣接側部２３）と大引側凹部２１との間には段差が形成されている。
【００３０】
補強部材３０は、大引２０を補強するものであり、図２及び図５に示すように、Ｘ方向に沿って間隔を開けながら横並びの状態で複数配置されている。より詳しく説明すると、補強部材３０は、長尺な木質角材からなり、その長手方向がＹ方向に沿った状態で、Ｘ方向において一定の間隔にて配置されている。
【００３１】
そして、各補強部材３０は、Ｘ方向に沿って延出した状態で複数の大引２０の各々に組み付けられている。すなわち、各補強部材３０は、組み付け部材に相当し、複数の大引２０と複数の補強部材３０とが格子を形成するように、図２に示すように各大引２０（厳密には、各補強部材３０と交差する位置にある大引２０）に組み付けられている。本実施形態では、以上のように補強部材３０が各大引２０に組み付けられることにより、Ｙ方向における大引２０の間の間隔ｄが予め設定された距離に揃えられている。
【００３２】
より詳しく説明すると、前述したように、各大引２０は、Ｘ方向に沿って一定間隔毎に形成された大引側凹部２１を有する。ここで、大引側凹部２１間の間隔は、Ｘ方向における補強部材３０間の間隔と対応した距離になっており、厳密には、補強部材３０間の間隔と略等しい距離となっている。
【００３３】
また、各補強部材３０の下端部には、図４に示すように、略矩形溝状の補強部材側凹部３１が形成されている。この補強部材側凹部３１は、各補強部材３０においてＹ方向に沿って間隔を開けながら複数設けられている。ここで、補強部材側凹部３１の間隔は、Ｙ方向における大引２０間の間隔と対応した距離になっており、厳密には、大引２０の間隔に関して予め設定された距離と略等しい距離となっている。また、補強部材側凹部３１の深さは、大引側凹部２１の深さと略同一である。
【００３４】
各補強部材３０において補強部材側凹部３１の上方位置で補強部材側凹部３１と隣接する部分（以下、隣接上部３２）は、補強部材側凹部３１と同様、各補強部材３０においてＹ方向に沿って間隔を開けながら複数設けられている。
【００３５】
なお、隣接上部３２には、図４に示すように円穴状の貫通孔３４が形成されている。さらに、各補強部材３０中、Ｙ方向において補強部材側凹部３１と隣り合う部分（以下、隣接側部３３）と補強部材側凹部３１との間には段差が形成されている。
【００３６】
そして、それぞれの補強部材側凹部３１は、各大引２０が有する複数の大引側凹部２１のうち、対応する大引側凹部２１と重なり合う。これにより、各補強部材３０が複数の大引２０の各々（厳密には、各補強部材３０と交差する位置にある大引２０）に組み付けられている。
【００３７】
より詳しく説明すると、大引側凹部２１と補強部材側凹部３１とが互いに重なるように大引２０及び補強部材３０を配置し、両凹部の底同士が近付くように補強部材３０を大引２０に対して動かすと、やがて大引側凹部２１に隣接上部３２が嵌まり込むようになる。つまり、補強部材３０の隣接上部３２は、嵌合部として機能し、補強部材３０が各大引２０に組み付けられる際に当該各大引２０に設けられた大引側凹部２１のうち、対応する大引側凹部２１と嵌合する。
【００３８】
隣接上部３２が大引側凹部２１に完全に嵌合すると、Ｘ方向において大引側凹部２１と隣り合う一対の隣接側部２３の間に補強部材３０の隣接上部３２が挟み込まれるようになり、Ｙ方向において補強部材側凹部３１と隣り合う一対の隣接側部３３の間に大引２０の隣接底部２２が挟み込まれるようになる。
【００３９】
以上の構成により、各補強部材３０が複数の大引２０の各々に対して組み付けられている。そして、各補強部材３０が複数の大引２０の各々に対して組み付けられていることにより、Ｙ方向において各大引２０が位置決めされ、大引２０間の間隔ｄが予め設定された距離（厳密には、補強部材側凹部３１及び隣接上部３２の間隔）に揃えられている。すなわち、本実施形態において、各補強部材３０は、各大引２０を位置決めして大引２０間の間隔ｄを揃えるための目的で用いられており、当該目的のために各大引２０と交差した状態で当該各大引２０に対して組み付けられている。
【００４０】
また、本実施形態では、大引２０に対する補強部材３０の組み付けをより容易にするために、大引２０に大引側凹部２１が設けられており、補強部材３０に補強部材側凹部３１及び隣接上部３２が設けられている。これにより、大引側凹部２１に補強部材３０の隣接上部３２を嵌合するだけで、大引２０が位置決めされ、大引２０間の間隔が揃えられるようになる。
【００４１】
また、複数の補強部材３０は、複数の大引２０と共に格子をなしており、その上に複数の床パネル１０が支持されている。すなわち、補強部材３０は、大引２０とともに床パネル１０を下方から支持する。
【００４２】
より具体的に説明すると、一対の大引２０と、当該一対の大引２０と交差する一対の補強部材３０とによって囲まれる一マス分のスペース（以下、単位スペース）の上に床パネル１０が一枚配置される。このとき、図２に示すように、床パネル１０の四辺をなす外縁部分１０ａが、それぞれ、単位スペースを囲む大引２０及び補強部材３０の上に載置される。詳しく説明すると、各床パネル１０においてＸ方向に沿って延びている外縁部分１０ａは、当該外縁部分１０ａと対向する位置に配置された大引２０によって支持されておいる。また、各床パネル１０においてＹ方向に沿って延びている外縁部分１０ａは、当該外縁部分１０ａと対向する位置に配置された補強部材３０によって支持されている。
【００４３】
束４０は、支柱に相当し、大引２０の下部に取り付けられて大引２０を下方から支持する部材である。より具体的に説明すると、束４０は、１階の土間コンの上に載置されており、束４０の上方に大引２０が配置されている。そして、束４０は、鉛直方向において床パネル１０が配置される位置とは反対側の位置（すなわち、大引２０の下方位置）で大引２０に取り付けられ、かかる状態で大引２０を支持している。
【００４４】
なお、束４０は、一つの大引２０にあたり複数取り付けられており、本実施形態では、それぞれの束４０が大引２０の延出方向（すなわち、Ｘ方向）において大引２０と補強部材３０との交差位置に取り付けられている。
【００４５】
さらに、本実施形態の束４０は、その上下長（高さ）を調整することが可能である。そして、束４０の高さが調整されると、これに伴って大引２０の上下位置が変化する。つまり、束４０の高さ調整により、大引２０に対する束４０の取り付け位置が変更され、これに伴う形で大引２０の上下位置が調整される。なお、大引２０の上下位置は、図５に示すように、大引２０の上端位置と土台５０の上端位置とが揃うように調整される。土台５０とは、１階の基礎Ｃ（厳密には布基礎）の立ち上がり部分の上部に載置され、Ｙ方向に延出した長尺部材であり、土台５０と共に床パネル１０を支持する。
【００４６】
束４０の構造について図６を参照しながら説明すると、束４０は、長尺ボルト４１と取り付けナット４２とベース部４３とを有する。ベース部４３は、束４０のうち、土間Ｄに載置される部分である。長尺ボルト４１は、ベース部４３に対して立設されており、ベース部４３が土間Ｄに載置された状態では鉛直方向に沿って延出している。また、長尺ボルト４１の上側部分の外周面にはネジ山（雄ネジ）が形成されている。
【００４７】
取り付けナット４２は、その内部に長尺ボルト４１の上側部分が挿入されており、図６に示すように大引２０の下方から当該大引２０に組み付けられる。より詳しく説明すると、取り付けナット４２の上端部は、円筒状となっており、大引２０の隣接底部２２に形成された貫通孔２４に嵌合している。取り付けナット４２の下端部は、取り付けナット４２の上端部よりも大径な筒状をなしており、隣接底部２２の直下に位置している。また、取り付けナット４２の内周面には、長尺ボルト４１の上端部の外周面に形成されたネジ山と螺合するネジ山（雌ネジ）が形成されている。
【００４８】
さらにまた、長尺ボルト４１の上端頂部には被操作部４１ａが設けられている。この被操作部４１ａは、大引２０に対する束４０の取り付け位置を鉛直方向において変更する際に操作され、例えばマイナスドライバー等、先端に平らな突起部分を備えた工具Ｖによって操作される。具体的に説明すると、被操作部４１ａを右回りに回転させると、長尺ボルト４１が取り付けナット４２に対して上昇し、束４０の高さが短くなる。反対に、被操作部４１ａを左回りに回転させると、長尺ボルト４１が取り付けナット４２に対して下降し、束４０の高さが長くなる。
【００４９】
以上のように構成された束４０は、前述したように、Ｘ方向において大引２０と補強部材３０との交差位置に取り付けられている。具体的に説明すると、大引２０と補強部材３０との交差位置では、大引側凹部２１に補強部材３０の隣接上部３２が嵌合している。大引側凹部２１に補強部材３０の隣接上部３２が嵌合している状態では、図６に示すように、大引２０の隣接底部２２に形成された貫通孔２４と、補強部材３０の隣接上部３２に形成された貫通孔３４とが連通している。
【００５０】
そして、連通した２つの貫通孔２４、３４に束４０の長尺ボルト４１の上端部が挿入される。また、長尺ボルト４１の上側部分が挿入された取り付けナット４２を大引２０に組み付ける（嵌合させる）ことで束４０が大引２０に対して取り付けられている。
【００５１】
ところで、本実施形態では、大引２０及び補強部材３０の上に床パネル１０を敷き付けると、互いに近接する４つの床パネル１０の各々の隅部が集まる箇所の直下に、大引２０と補強部材３０との交差箇所が位置するようになる。また、互いに近接する４つの床パネル１０の各々の隅部が集まる箇所には、前述したように、略正方形状の開口部１１が形成されている。
【００５２】
一方、大引２０と補強部材３０との交差箇所には、互いに連通している２つの貫通孔２４、３４が設けられている。また、貫通孔２４、３４内には束４０の長尺ボルト４１が挿入されており、その上端頂部に設けられた被操作部４１ａが、貫通孔３４の上端開口に臨んでいる。したがって、床パネル１０が敷き詰められた状態において、被操作部４１ａは、上記の開口部１１に臨んでいる。
【００５３】
以上の構成によれば、大引２０及び補強部材３０の上に床パネル１０を敷き詰めた後であっても、束４０の被操作部４１ａを床パネル１０の上方（換言すると、建物の室内空間）から開口部１１を通じて操作することが可能となる。つまり、本実施形態では、床パネル１０を敷き詰めた後に束４０の高さを調整することが可能であり、これによって、大引２０の上下位置（換言すると、床パネル１０のレベル）を変更することが可能となる。
【００５４】
＜＜本実施形態に係る構造物の構築方法＞＞
次に、本実施形態に係る構造物の構築方法として、上述の床１を施工する方法について説明する。
床１の施工作業は、建物の建設工事における一連の作業のうち、建方作業前あるいは建方作業と略同時期に行われる。なお、床１の施工前には基礎工事が行われ、１階の土間Ｄ及び基礎Ｃが既に構築されている。このような順序に従って床１の施工作業を行えば、躯体完成前に床１を施工することになるので、建設工事の工期を通常の建設工事（つまり、躯体完成後に床１を施工する場合）よりも短くすることが可能となる。
【００５５】
土間Ｄ及び基礎Ｃが完成した後に床１の施工が開始され、先ず、複数の大引２０をＹ方向に間隔を開けながら複数配置する。このとき、各大引２０の下に束４０を配置し、束４０を各大引２０に取り付ける。具体的には、大引２０の隣接底部２２に設けられた貫通孔２４に束４０の長尺ボルト４１の上端部を挿通させる。
【００５６】
次に、複数の大引２０の各々と交差するように複数の補強部材３０を配置する。そして、各補強部材３０を複数の大引２０の各々に対して組み付ける。具体的には、図９に示すように、大引側凹部２１に各補強部材３０の隣接上部３２を嵌め込む。図９は、補強部材３０を大引２０に組み付けている様子を示す図である。大引側凹部２１に隣接上部３２を嵌め込む際、作業者は、金槌Ｔで隣接上部３２の上面を叩きながら大引側凹部２１に隣接上部３２を嵌め込む。このような手順によって大引側凹部２１に隣接上部３２が嵌合することにより、各補強部材３０が複数の大引２０の各々に対して組み付けられる。このとき、長尺ボルト４１のうち、貫通孔２４を通過した部分は、大引側凹部２１に嵌合した隣接上部３２に設けられた貫通孔３４に挿入されるようになる。
【００５７】
そして、各補強部材３０が複数の大引２０の各々に組み付けられると、大引２０間の間隔ｄが予め設定された距離に揃えられるようになる。このように本実施形態では、補強部材３０を複数の大引２０の各々に組み付けることで、作業者の技量に左右されることなく、複数の大引２０を簡単に且つ精度よく配置することが可能となる。
【００５８】
なお、補強部材３０を大引２０に組み付け易くする目的から、図１０に示すように大引２０の隣接側部２３の角部（大引側凹部２１の脇にある角部）を面取りして隅切部２５を形成してもよい。同様に、図１１に示すように補強部材３０の隣接側部３３の角部（補強部材側凹部３１の脇にある角部）を面取りして隅切部３５を形成してもよい。図１０は、変形例に係る大引２０を示す図であり、大引側凹部２１周辺を示す側面図である。図１１は、変形例に係る補強部材３０を示す図であり、補強部材側凹部３１周辺を示す側面図である。
【００５９】
床１を構築するのに必要な本数の大引２０をすべて配置し、床１を構築するのに必要な本数の補強部材３０をすべて大引２０に組み付けると、大引２０及び補強部材３０が格子をなす。そして、格子の上に床パネル１０を敷き詰める。つまり、大引２０及び補強部材３０によって各床パネル１０を支持する。このとき、床パネル１０の四辺をなす外縁部分１０ａが、それぞれ、大引２０や補強部材３０の上に載置されて支持されるようになる。このように本実施形態では、大引２０及び補強部材３０の双方によって各床パネル１０を支持するため、床パネル１０の支持状態をより安定化させることが可能である。
【００６０】
床１を敷き詰めた後には、大引２０に取り付けた束４０の高さを必要に応じて調整する。具体的には、図７に示すように、近接する４つの床パネル１０の隅部が集まっている箇所に形成された開口部１１を通じて、高さ調整の対象となる束４０の被操作部４１ａを、工具Ｖを用いて床パネル１０の上方から操作する。これにより、被操作部４１ａが操作された束４０の高さが調整され、当該束４０が取り付けられている大引２０の上下位置が変更される。このように本実施形態では、床パネル１０を敷き詰めた後であっても、床パネル１０の上方から、床パネル１０の下方に位置する大引２０の上下位置（換言すると、床１のレベル）を調整することが可能である。この結果、床１の施工作業をより効率よく進めることが可能となる。
【００６１】
＜＜その他の実施形態＞＞
上記の実施形態では、本発明の構造物の一例として床１を挙げ、当該床１の構成例について説明した。ただし、本発明の構造物は、床１に限定されるものではなく、間隔を開けながら横並びの状態で配置された複数の支持部材によってパネルを支持する構成のものであればよく、例えば、天井や壁に対しても本発明は適用可能である。
【００６２】
また、上記の実施形態では、束４０が大引２０と補強部材３０との交差箇所において大引２０に取り付けられていることとしたが、これに限定されるものではない。例えば、大引２０と補強部材３０との交差箇所以外の箇所において、束４０が大引２０に取り付けられていてもよい。
【００６３】
また、上記の実施形態では、大引２０の上方から補強部材３０を組み付けることとしたが、これに限定されるものではない。大引２０の下方から補強部材３０を組み付けてもよい。かかる場合には、大引２０を土間Ｄの上に配置するに際して、予め大引２０と補強部材３０とを一体化させ、既に補強部材３０が組み付けられた状態の大引２０を配置することが可能となる。
【符号の説明】
【００６４】
１  床（構造物）
１０  床パネル（パネル）
１０ａ  外縁部分
１１  開口部
２０  大引（支持部材）
２１  大引側凹部（凹部）
２２  隣接底部
２３  隣接側部
２４  貫通孔
２５  隅切部
３０  補強部材（組み付け部材）
３１  補強部材側凹部
３２  隣接上部（嵌合部）
３３  隣接側部
３４  貫通孔
３５  隅切部
４０  束（支柱）
４１  長尺ボルト
４１ａ  被操作部
４２  取り付けナット
４３  ベース部
５０  土台
Ｃ  基礎
Ｄ  土間
Ｇ  隙間
Ｔ  金槌
Ｖ  工具
【図１】
2019011582.tif 000003
【図２】
2019011582.tif 000004
【図３】
2019011582.tif 000005
【図４】
2019011582.tif 000006
【図５】
2019011582.tif 000007
【図６】
2019011582.tif 000008
【図７】
2019011582.tif 000009
【図８】
2019011582.tif 000010
【図９】
2019011582.tif 000011
【図１０】
2019011582.tif 000012
【図１１】
2019011582.tif 000013